(57)【要約】【課題】  従来、台所で料理を作る場合は、洗って（流し台）、切って（調理台）、煮る、焼く（レンジ）といった動線で料理するのが一般的である。それを踏まえれば当然調理台もそれなりのゆとりをもった広さが求められる。しかし、現状は住宅事情により、ガスコンロ台と、流し台に比べれば調理台は小さめにするのが一般的で、非常に作業効率的に良くない。  また、調理台の高さが旧来から殆んど変わらず一定であり、背の高い人が調理する場合には、調理台に合わせるため背中を丸めて作業するので肩凝りの原因とされるが、本発明はこの欠点を解決する、まな板補助具を提供する。【解決手段】  流し台シンク縁に挟着させるための支持台と、回動軸、回動アーム、および、載置台を介してまな板の高さ調節、回動を自在にすることを特徴とする、まな板補助具。【選択図】図１
2005058704.tif 000002
【特許請求の範囲】
【請求項１】
流し台シンク縁に載置挟着させる支持台（１）と、アーム（２５）で円筒軸（２）の適当な高さに調節後、回動アーム（３ａ）と、それぞれの透穴に挿着するまな板固定ボルト（３９）と、から成り、まな板（４）の高さ調節、および、回動が自在であることを特徴とするまな板補助具。
【請求項２】
請求項１の流し台シンク縁に載置挟着させる支持台（１）と、指し輪（５２）で回動アーム（３ｂ）の適当な高さに調節後、それぞれの透穴に挿着するまな板固定ボルト（３９）から成り、まな板（４）の高さ調節、および、回動が自在であることを特徴とするまな板補助具。
【請求項３】
請求項１の流し台シンク縁に載置挟着させる支持台（１）と、回動アーム（３ａ）、および、請求項２の回動アーム（３ｂ）と、載置台（４４）と、から成り、市販品まな板の高さ調節と、回動が自在であることを特長とするまな板補助具。
【発明の詳細な説明】
【発明の詳細な説明】
【技術分野】
【０００１】  この発明は、まな板の高さ調節が可能で、かつ、まな板が自在に回動し、調理位置の移動が可能なまな板補助具に関するものである。
【背景技術】
【０００２】  従来、まな板は、台所で調理するとき、調理台の上に載置するか、流し台シンク縁などに載置して使用するなどして使用していた。
【発明が解決しようとする課題】
【０００３】  そのために次のような問題点があった。イ）狭い台所の場合、流し台や調理台が小さく、まな板の置き場所が限られているため、作業効率が悪いと言う欠点があった。ロ）人間の身長は伸びる一方で、調理台の高さは旧来一定であり、そのために背の高い人が調理する場合、背中を丸めて作業するので姿勢が肩凝りの原因とされている。本発明は以上の欠点を解決するためになされたものである。
【課題を解決するための手段】
【０００４】  請求項１に係る本発明は、流し台シンク縁に上方から支持台（１）を挟着載置させ、透穴（５ａ）に円筒軸（２）装着し、アーム（２５）で高さ調節固定して、そして、回動アーム（３ａ）の円球型状の回動アーム軸（７ａ）部を挿着して、さらに、まな板（４）をまな板固定ボルト（３９）を介して回動アーム（３ａ）の透穴（５ａ）に挿着して軸着した構成である。  請求項２に係る本発明は、回動アーム（３ｂ）の球型溝（５１）に指し輪（５２）を差し込んでから、専用まな板の透穴（５ａ）に装着して軸着する。  請求項３に係る本発明は、請求項１の支持台（１）と、円筒軸（２）と、回動アーム（３ａ）を介して載置台（４５）を挿着させ、市販品まな板を載置する。
【発明を実施するための最良の形態】
【０００５】  以下、本発明の実施の形態について図面に基づいて詳しく説明する。（イ）  図１は、請求項１に記載の技術の一実施例を示すものであるが、本発明の実施形態に係るまな板補助具で、流し台形状が各メーカーによって異なり、扉の大きさが流し台シンク縁までの形状で、支持台（１）と回動アーム（３）とまな板（４）を流し台シンク縁に一連一体に組合せ装着した様子を示した斜視図である。図２は、本発明の支持台における他の実施例を示したもので、流し台の異なる形状において、内片（１２）と外片（１７）を同長にして、流し台シンク縁に吸盤４箇所で支持し、組合せ装着した様子を示した斜視図である。図３は、基本実施例におけるまな板補助具を流し台シンク縁に吸盤（６ａ）と吸盤（６ｂ）で締着し、シンク内で使用した状態を示した平面図である。図４（ａ）は、基本実施例における支持台（１）をシンク内側から見た正面図であり、（ｂ）は、Ｌ金物の詳細図である。図５は、基本実施例における支持台（１）の形状の様子を示した斜視図である。図６（ａ）は、基本実施例における支持台（１）と、回動アーム（３ａ）と、まな板（４）を一連一体に組合せた一実施例断面図である。図６（ｂ）は、基本実施例における円筒軸（２）の側面のスベリ止め溝（３１）示した様子の側面図である。図６（ｃ）は、基本実施例における略半円形突片（１５）に円筒軸（２）が挿着され固定アーム（２５）で固定した様子を示した一実施例断面図である。図７（ａ）は、基本実施例におけるアーム固定板（１６）と略半円球突片（１５）の斜視図であり、（ｃ）と、（ｄ）はアーム（２５）の詳細図である。図８（ａ）は、支持台（１）を流し台シンク縁に挟着した様子で、支持台（１）の断面図である。図８（ｂ）と、図８（ｃ）と、図８（ｄ）は、基本実施例における各部詳細図である。図９は、基本実施例における図１に記載のまな板補助具の一実施例を表した分解斜視図である。図１０は、第２実施例における図２に記載の他のまな板補助具の一実施例を表した分解斜視図である。図１１は、第３実施例における、市販品まな板使用時の平面図である。図１２は、第３実施例における、市販品まな板使用時の分解斜視図である。【０００６】（ロ）  本発明の基本実施例における、まな板補助具の支持台（１）の構造は、略コの字型でコの字が下を向いた略万力に似た形状で請求項共通である。（ハ）  図１の一実施例に示すように、シンク縁の挟持面を基準にして一片の脚が長く反対側の脚が短い変則的な略コの字型で、図２は両方が同長になっている。これはメーカーによってシンクの形状が異なり、流し台の扉がシンク縁まで伸びていない物と伸びている物があるためにこのような構成としたのである。（ニ）  この略コの字型の支持台（１）を流し台シンク縁に挟着させることで、まな板使用時にかかる全ての載置荷重および、圧縮、引張り、捻れ等を支持台（１）で受ける。このとき挟着させただけの状態では前後左右に動いて転倒してしまうので、図３に示すように略円凹型の吸盤（６ａ）と吸盤（６ｂ）とで、流し台シンク縁を両側から万力を使用して押え突ける要領でボルト（８ａ）を圧着する。（ホ）  このとき図８（ａ）、（ｂ）に示すように、支持台（１）の外側吸盤（６ａ）は、流し台シンク縁の形状がメーカーによって垂直であったり、または、少し傾斜があったり異なるため、吸盤（６ａ）自体が自在に流し台シンク縁に沿って動くように、吸盤（６ａ）の球体（１４）を支持台（１）外片（１７）の円筒凹部（１０ｂ）に枢着、遊嵌させることで、ボルト（８ａ）を圧着したときに流し台シンク縁の傾斜に添って取付けることができる。（ヘ）  また反対側吸盤（６ｂ）は図８（ａ）、（ｃ）に示すように、ボルト（８ａ）で締着する。このときボルト（８ａ）先端部の半球体（９ａ）に当着した吸盤（６ｂ）と、回動しようとするボルト（８ａ）の接触面に摩擦が生じ、吸盤（６ｂ）も同時に回転しないよう円筒凹状部（１０ａ）底面に金属板（１１）、又は摩擦抵抗の少ない素材の硬質板を嵌め込み、ボルト（８ａ）先端部の半球体（９）の接地面を小さくし、摩擦抵抗を少なくする。（ト）  このとき吸盤（６ｂ）とボルト（８ａ）は一体でないので支持固定されておらず、ボルト（８ａ）を緩めると容易に外れてしまう状態であるので、取付けのときはあらかじめ半球体（９ａ）を円筒凹部（１０ａ）に添える。さらに、吸盤（６ａ）と吸盤（６ｂ）で流し台シンク縁に圧着させる。このときボルト（８ａ）はあらかじめ支持台（１）内片（１２）のネジ穴（１３ａ）に螺着、挿通しておいて、半球体（９）に吸盤（６ｂ）の円筒凹部（１０ａ）を係合させボルト（８ａ）で締着する。（チ）  支持台（１）取付けは図３に示すように吸盤（６ａ）と（６ｂ）左右それぞれ２ヶ所で締着して左右の転倒に耐える状態であるが、図１に示すように、通常まな板（４）の平均的使用方法は、そのまな板（４）の中心点が支持台（１）より流し台シンク内側へ移動し、吸盤（６ａ）、（６ｂ）が流し台シンク縁の位置的に高い所で締着するため不安定である。（リ）  そこで、まな板（４）を流し台シンク内側で使用する時、少しの力を加えただけで転倒する可能性が大きいので、図７（ａ）に示すように支持台（１）の内片（１２）を長くして、流し台シンク内側の下部に吸盤（６ｃ）を設けボルト（８ｂ）で吸盤（６ｃ）が吸付く程度に締付ける。（ヌ）  さらに内側への転倒防止に図４、図５、図８（ｄ）、のごとく、支持台（１）の外片（１７）左右に円筒片（１８）を設け、貫通穴から転倒防止のＬ金物（１９）のネジ切り（２１）部分を挿通する。この時、予めＬ金物の先端部に適当な厚さのスベリ止ゴム（２０）を貼着し、流し台シンク縁下に差し込み、引掛けるように取付け、ネジ切り（２１）部にナット（２２）で締付ける。（ル）  流し台シンク縁は一般的にはステンレス製で、縁の折り曲げ加工部にＬ金物のような強硬なボルトで締付けると、比較的圧縮に弱く曲がり易いので適当な厚さのゴムを挟むことで弾力が生じ、ナット（２２）を締めたとき適度の引っ張り状態になる。（ヲ）  Ｌ金物（１９）のナット（２２）を締付けて先端部のボルトがナット（２２）からとび出て、調理時に手などが当るとケガのもとなので、柔らかく破れ難い素材のキャップ（２３）を被せる。なお、このＬ金物を設けることで、内側に転倒することを押える働きをする。（ワ）  図８（ｄ）に示すように、Ｌ金物（１９）の断面形状は正方形で、流し台シンク縁と扉の間に入る程度の太さ��、ネジ切りされている部分は丸型とし、材質は金属製である。なおＬ金物は図２の支持台実施例における流し台シンク縁の形状には使用しない。（カ）  図８（ａ）に示すよ吸盤（６ｃ）は、調理時まな板（４）に物を載置したとき、吸盤（６ｂ）部を支点に流し台シンク内側に転倒しようとして回転力が加わり、それによって吸盤（ｃ）に生ずる圧縮力に耐え、また反対にまな板を流し台シンクの外側で使用した時は、吸盤（６ｃ）の吸引力で引張力に耐える。（ヨ）  以上のように図１に示す一実施例は、吸盤（６ａ）、吸盤（６ｂ）、吸盤（６ｃ）合計６箇の吸盤とＬ金物（１９）の２個で支持固定され、上部４個の吸盤（６ａ）と吸盤（６ｂ）は略万力型の形状で互いに締付けあって締着する。吸盤の形状は一般的に市販されているガラス、または、平滑な金属板等に取付けるものより少し肉厚を厚くし、ボルト（８ａ）を締つけることで強固に吸付き、横ずれを無くする。（タ）  ６個の吸盤すべて、たて、よこ、斜めと動き、どのような角度にも対応できることで、シンク内側の少し湾曲した面に、支持台を左右どちらに寄せても挟着する事が可能である。（レ）  また、支持台（１）を取り外す場合には、強固に吸付いた吸盤を吸盤面に対して垂直方向の引っ張りでは容易に外れない。そこで吸盤とボルトを容易に外れる構造によって、吸盤は吸付けられたままの状態でも支持台（１）は容易に外すことができる。そして吸盤は支持台（１）を取り外した後、吸盤の周囲をこじ開ける要領で取り外せば容易である。（ソ）  下部２個の吸盤（６ｃ）とＬ金物（１９）は、上部４個の吸盤（６ａ）と（６ｂ）で締着した支持台（１）が、まな板を保持する時の位置が、流し台シンク縁真上の位置だけであれば転倒の可能性は低いが、まな板（４）が自在に回動するため使用位置が一定でない。使用位置が流し台シンクの内側、または、外側では少しの荷重で転倒してしまうので、シンク内側には内片（１２）を適当な長さに延ばし、適当な位置に吸盤（６ｃ）を併設し、また、流し台シンク外側にはＬ金物（１９）を付着することで、支持台（１）の転倒を防止する働きをする。したがって、調理時にまな板（４）の回動を自在に使用可能であり、また、調理時の食材、食器等を仮置きする台としても使用出来る。（ツ）  なお図１に示すように、流し台は一般的に、ステンレス製で、縁の部分が折り曲げ加工され、その縁際まで扉が伸びてる流し台と、図２のように、シンク縁まで扉が伸びてない流し台がある。扉の伸びていない流し台は、支持台（１）の形状を内片（１２）と外片（１７）を同じ長さとし、外片（１７）に吸盤（６ｄ）を設けてＬ金物（１９）がない形状にすることも可能である。【０００７】（ネ）  図１に示すように、流し台シンク縁に支持台（１）を挟着させ、図４（ａ）、ないし図５に示すように、支持台（１）の２本ある内片（１２）の間に略半円柱突片（１５）を設け、約中央に中空の適当な大きさの透穴（５ａ）を設ける。この透穴（５ａ）に円筒軸（２）、回動アーム（３）を介してまな板（４）を保持し使用したとき、図３に示すように、その荷重を四方向にある各片の各吸盤およびＬ金物で支持したとき、図５に示すように、まな板を最大限に低くして使用でき、さらに回動も可能で前後左右に安定できる構造である。（ナ）  図７（ｂ）に示すように、略半円柱突片（１５）の周壁に図７（ａ）のアーム固定板（１６）を当着するための欠き込みを設け、その正面上下に球型凹部（３６）を設け、アーム固定板（１６）の上下にある球型突起（３７）と嵌合係着させる。アーム固定板（１６）は長方形の板状で真中に長方形の開口部（２４ａ）設け、この開口部（２４ａ）たて辺の両面に凹部（３３）を刻設する。（ラ）  アーム固定板（１６）裏面側から図７（ｃ）、（ｄ）のアーム（２５）の柄（３８）部を挿入貫通させながら凹部（３３）に円柱型突起（２９）を枢着する。（ム）  図６（ｂ）に示すように、略半円柱突片（１５）の透穴（５ａ）に溝幅、溝深さ適当なたて溝（３０）を内設し、そのたて溝（３０）に円筒軸（２）の外周部にたて長でたて溝（３０）と嵌合できる角凸片（２６）を設けて嵌合挿着する。この円筒軸（２）は、透穴（５ａ）のたて溝（３０）と円筒軸（２）の角凸片（２６）を嵌合挿着させることで、調理をするとき回動アーム（３）に装着したまな板（４）の回動に従って円筒軸（２）も回動することを止めるための構造である。この円筒軸（２）の回動を止めることで、まな板（４）を、回動アーム（３）の回動アーム軸（７）を円筒軸（２）の透穴（５ａ）に挿着して回動させる。（ウ）  まな板（４）の高さ調節は円筒軸（２）の角凸片（２６）表面にスベリ止め溝（３１）を垂設し、図６（ａ）および、図７（ｃ）、（ｄ）の略Ｌ字型したアーム（２５）の頭部溝（２７）部で圧着して高さ調節する。（ヰ）  スベリ止め溝（３１）は正面を山形状に凹凸加工を突設し、これにアーム（２５）の頭部溝（２７）をスベリ止め溝（３１）と同じように山形状に凹凸加工してを圧着する。これによって円筒軸（２）は、支持台（１）の略半円柱突片（１５）の透穴（５ａ）に装着して、調理する前に予めまな板（４）を任意の高さに調節することができる。（ノ）  まな板（４）の高さ調節に伴い円筒軸（２）を上下させ、任意の位置でアーム（２５）を図６（ａ）に示すような状態で固定させる。アーム（２５）は円柱型突起（２９）を軸として９０度回転し、アーム（２５）を水平にした状態で圧着が解除され、垂直にした状態で圧着する。このときアーム（２５）の半円球突起（２８）がアーム固定板（１６）の開口部（２４）両側に内設した半球型凹部（３４）に嵌合することによって、まな板（４）使用時に荷重がかかった場合、容易に頭部溝（２７）と滑り止め溝（３１）との圧着部が解除されて、円筒軸（２）の落下を防止をする。（オ）  図７（ｃ）に示すように、半球型突起（２８）内部にはスプリング（３５）を内設する。スプリング（３５）の適度の押し出す力で半球型凹部（３４）とが勘合し容易に外れ難くし、円筒軸（２）の高低調節時にはアーム（２５）の柄（３８）のてこの原理で開閉操作をスムーズにして着脱を簡素化する。（ク）  逆に食事の後片付けの時は、まな板（４）を調理台でなく洗い物の置き台として使用することも可能で、その場合はまな板（４）の位置がシンク内では洗い物をするときに邪魔になり、その時にアーム（２５）の柄（３８）を容易に開閉出来るように、スプリング（３５）の押し出す力を適度な強さに��て、円筒軸（２）を上下、回動させながら台所を広く利用する。（ヤ）  また、円筒軸（２）を介して高低調節することで、回動アーム軸（７ａ）がいつでも容易に着脱でき、まな板を使用しないときは、引き抜いて収納することができる。（マ）  円筒軸（２）上部は、図７（ｂ）透穴（５ａ）から抜け落ちないように突起縁（３２）を周設し、下部は支持台（１）を取付けた時、流し台シンク底に当らない程度の適当な長さとする。（ケ）  図７（ｂ）の略半円柱突片（１５）は外形が左右内片（１２）の間に位置し、まな板（４）で調理するとき背の高い人に高さを合わせるため、円筒軸（２）を上下する都合上、その位置を流し台シンク内に設けた。この略半円柱突片（１５）の位置を流し台シンクの外側に設けた場合は、調理するまな板（４）を流し台シンク内で使用したとき、回動アーム（３）をより長く使用可能となるが作業場所が狭くなる。【０００８】（フ）  図６（ａ）および図９に示すように、支持台（１）の透穴（５ａ）に円筒軸（２）を貫設した後、回動アーム（３）の回動アーム軸（７）を挿入軸着させる。回動アーム（３）は回動アーム軸（７）を中心軸としてまな板（４）の回動を自由にし、任意の位置で調理することが可能である。（コ）  回動アーム（３）の形状は、長方形平板状端に適当な長さの円柱形状の回動アーム軸（７）を設け、反対側の端に長方形平板より厚くした片を設け、その中心部に適当な透穴（５ｃ）を垂設する。（エ）  まな板（４）中心部に透穴（５ｄ）を設ける。回動アーム（３）を軸着させた後、まな板（４）を先端部に載置させ、上部からまな板固定ボルト（３９）を透穴（５ｃ）と透穴（５ｄ）両方に貫入させる。この時まな板固定ボルト（３９）にネジ加工（４０ａ）を施し、まな板（４）の透穴（５ｄ）に内設されたネジ加工（４０ａ）部に螺入する。まな板固定ボルト（３９）のネジ加工（４０ａ）は、回動アーム（３）に当る部分は無く、差し込むだけでアームの回動をスムーズにする。（テ）  また、まな板（４）にまな板固定ボルト（３９）を螺着することでまな板（４）の両面使用が可能である。たとえば、まな板（４）裏面を使用する時は、まな板固定ボルト（３９）を外し、まな板（４）を裏返ししてからまな板固定ボルトを螺着することによって、通常の市販品まな板を使用するのと同じように、容易に両面の使用可能である。また、まな板固定ボルト（３９）頭部は図６（ａ）に示すように突起縁（３２ｂ）を設け、まな板（４）両面に円周縁欠け（５０）を欠きこみ、この欠きこみに嵌合することで表面が平滑で調理時に支障が無く使用できる。（ア）  図９に示すように、まな板（４）両面の四隅にネジ穴（４１）を貫設し、調理時に出る生ごみ類を入れるネット袋を取付けるネット取付アーム（４２）をまな板（４）下面の隅角に固定ネジ（４３）で軸着し、使用しないネジ穴（４１）には蓋（４４）をする。（サ）  まな板（４）の隅角にネット取付アーム（４２）を取付けることで、流し台シンク内に生ごみ入れ籠を置かなくて良いので広く利用でき、また調理しない時などは回動アーム（３）から取り外しておけばスッキリ綺麗になる。【０００９】（キ）  図１０は、請求項２記載の本発明の第２実施例における、まな板補助具の一実施例を示すもので、回動アーム（３ｂ）の回動アーム軸（７ｂ）に複数の適当な球型溝（５１）を施し、指し輪（５２）を嵌め込み支持台（１）の透穴（５ａ）に挿着する。（ユ）  指し輪（５２）の形状は略Ｃ型形状で、これを調理中容易に外れないように球型溝（５１）部に嵌合挿着させ、回動アーム（３ｂ）の適当な高さを保ち、回動させる。（メ）  また、高さを調節するときは、回動アーム軸（７ｂ）の球型溝（５１）に嵌合挿着されている指し輪（５２）を凸型ツマミ（５３）をもって引き抜き、差し替えながらおこなう。【００１０】（ミ）  図１１は、本発明の請求項３記載の第３実施例における、まな板補助具で、まな板市販品使用時に、載置台（４５）のヒンジ（４７）を回動アーム（３）の透穴（５ｃ）に装着して、さらに市販品まな板を載置して使用することによって、本発明専用のまな板でなくとも旧来家庭にあるまな板の利用が可能である。（シ）  図１２に示すように、載置台（４５）の形状は長方形板状でテーブル（４５）になっている。そのテーブル（４６）の下面４方向にＬ型フレーム（４８）を設け、中心部下面にヒンジ（４７）を垂設する。材質はプラスチックまたはアルミニュウム等軽量な物であればかまわないものとする。（ヱ）  ヒンジ（４７）を回動アーム（３ａ）の透穴（５ｃ）に装着することによって、ひとつには、回動アーム（３ｂ）先端の透穴（５ｃ）によるまな板の回動と、さらにもうひとつの回動アーム（３ｂ）の回動アーム軸（７ｂ）を支持台（１）上の透穴（５ａ）に装着することで計２個所が回動し、まな板をどの位置で使用しても流し台シンクと平行に利用できる。（ヒ）  載置台（４５）のテーブル（４６）下面４方向にＬ型フレーム（４７）を設けることによって、市販品まな板の大きさが異なっても、それぞれの大きさに合わせ載置台（４５）に固定することができる。（モ）  Ｌ型フレーム（４８）はテーブル（４６）の下面中心部から外周に向かって各４方向に略Ｃ型リブ（４９）を設け、この略Ｃ型リブ（４９）のツメ部をＬ型フレーム（４８）受けのレールとし、まな板の大きさによってスライドさせる。レール溝内にゴム状のパッキンを施し、Ｌ型フレーム（４８）のスライドを硬く抵抗ある状態にし、微力でまな板がスライドを押え、取り外しは容易に出来る。本発明は以上の構造になっている。【００１１】本発明は以上の構造でこれを使用するときは、流し台シンク縁に支持台を載置する前に準備作業として、アーム固定板（１６）の開口部（２４ａ）に凹部（３３）のある内側からアー厶（２５）の柄（３８）部を挿入させながら開口部両サイドの凹部（３３）に円柱形突起（２９）を嵌合させてから、アーム固定板（１６）の内側上下の球型突起（３７）を略半円球突片（１５）周壁の欠き込み部上下の球型凹部（３６）に嵌合係着し支持台（１）の長い方の内片（１２）にある４箇所のネジ穴（１３ａ）、（１３ｂ）に略コの字型をした支持台（１）の外側からボルト（８ａ）、（８ｂ）４本を螺着挿通しておいてから、次に、短い方の外片（１７）の内側にある丸い穴の円筒凹部（１０ｂ）に吸盤（６ｂ）頭部の球体（１４）を装着させ、次に支持台（１）の略コの字型の形状を下にして、長い内片（１２）を流し台シンク���側に向けて流し台シンク縁に載置する。【００１２】次に、内片（１２）にあらかじめ螺着挿通しておいた４本ボルトの半球体（９）に吸盤（６ｂ）を添えるようにして上部ボルト（８ａ）から（８ｂ）へ順次締着してから、外片（１７）両サイドの円筒片（１８）のたて穴にＬ金物（１９）のネジ切り（２１）部を下端より挿通し、反対のスベリ止めゴム（２０）が貼着された部分を流し台シンク縁と扉の間に差し込んでから、ナット（２２）で締付け固定し、ボルト頭部にキャップ（２３ｃ）を被せる。【００１３】次に、あらかじめ取付けたアー厶固定板（１６）のアーム（２５）の柄（３８）を水平な状態にしてから、支持台（１）の透穴（５ａ）に上部から円筒軸（２）を挿通し、任意の高さに調節出来てからアーム（２５）の柄（３８）を垂直にした状態で圧着固定される。次に、まな板（４）の下面角隅にネット取付アーム（４２）を固定ネジ（４３）取付けた後、まな板固定ボルト（３９）をまな板（４）の中心部の透穴（５ｄ）に螺着し、まな板（４）の裏面に突き抜けたまな板固定ボルト（３９）を回動アーム（３）の透穴（５ｃ）に挿着してから、回動アーム軸（７）を円筒軸（２）の透穴（５ｂ）に挿着させる。以上によって、まな板補助具の流し台シンク縁に載置され、まな板（４）が自在に回動し、任意の位置で使用でき、狭い台所も有効活用でき、また、背の高い人はまな板（４）の高さ調節出来るので、調理作業の効率が改善される。
【発明の効果】
【００１４】  本発明を使用することによって、従来調理台の上にまな板を載置するか、流し台シンク縁に載置しての調理作業が一般的であったが、本発明のまな板補助具は調理するとき、まな板の載置場所が流し台シンク縁を軸として回動するので調理台の上、および、流し台シンク縁に載せる事なく、流し台シンク内と、外の適当な位置で使用することが可能である。このことによって、今まで調理時に必要な食材や、器といった物の置き場所が、まな板を移動出来ることで、より広く有効利用出来、かつ、調理スペースの広がったことで台所内での調理作業がスムーズになる。そして反対に調理しない時は、まな板と回動アーム軸を引き抜いて取り外す事も容易に出来、適当な場所に収納できる。また、本発明の請求項３に係る載置台を使用することで、市販品まな板の使用も可能である。また、台所製品の進化は著しく、日進月歩で改良され、機能的で優れた物が多い状況の中で、旧来変わらないのが台所製品の高さである。今日の人間の身長は伸びる一方で、これからもますます伸びる可能性が大きい。そういう中で背の高い人が調理する場合背中を丸めて作業するので、肩凝りの原因とされているが、まな板を本発明のまな板補助具で適当な高さ調節して使用すれば、前かがみ姿勢も解消され、肩凝りがなくなり、正しい姿勢を保持することが可能となる。
【図面の簡単な説明】
【図１】本発明の一実施例図
【図２】本発明の他の一実施例斜視図
【図３】本発明の実施例平面図
【図４】（ａ）本発明の支持台正面図        （ｂ）本発明のＬ金物詳細図
【図５】本発明の支持台斜視図
【図６】（ａ）本発明の一実施例断面図       （ｂ）本発明の円筒軸側面図       （ｃ）本発明の略半円形突片の一実施例断面図
【図７】（ａ）本発明のアーム固定板斜視図       （ｂ）本発明の略半円形突片斜視図       （ｃ）、（ｄ）本発明のアーム詳細図
【図８】(ａ）本発明の支持台断面図       （ｂ）、（ｃ）、（ｄ）本発明の支持台各部詳細図
【図９】本発明の分解斜視図
【図１０】本発明の他の実施例を示す分解斜視図平面図
【図１１】本発明の他の実施例を示す平面図
【図１２】本発明の他の実施例斜視図
【符号の説明】
１      支持台  ２      円筒軸  ３ａ    回動アーム  ３ｂ    回動アーム  ４      まな板  ５ａ    透穴  ５ｂ    透穴  ５ｃ    透穴  ５ｄ    透穴  ５ｅ    透穴  ６ａ    吸盤  ６ｂ    吸盤  ６ｃ    吸盤  ７      回動アーム軸  ８ａ    ボルト  ８ｂ    ボルト  ９      半球体１０ａ    円筒凹部１０ｂ    円筒凹部１１      硬質板１２      内片１３ａ    ネジ穴１３ｂ    ネジ穴１４      球体１５      略半円柱突片１６      アーム固定板１７      外片１８      円筒片１９      Ｌ金物２０      すべり止めゴム２１      ネジ切り２２      ナット２３ａ    キャップ２３ｂ    キャップ２３ｃ    キャップ２４ａ    開口部２４ｂ    開口部２５      アーム２６      角凸片２７      頭部溝２８      半球型突起２９      円柱型突起３０      たて溝３１      スベリ止め溝３２ａ    突起縁３２ｂ    突起縁３３      凹部３４      半球型凹部３５      スプリング３６      球型凹部３７      球型突起３８      柄３９      まな板固定ボルト４０ａ    ネジ加工４０ｂ    ネジ加工４１      ネジ穴４２      ネット取付アーム４３      固定ネジ４４      蓋４５      載置台４６      テーブル４７      ヒンジ４８      Ｌ型フレーム４９      略Ｃ型リブ５０      円周縁欠け５１      球型溝５２      指し輪５３      凸型ツマミ
【図１】
2005058704.tif 000003
【図２】
2005058704.tif 000004
【図３】
2005058704.tif 000005
【図４】
2005058704.tif 000006
【図５】
2005058704.tif 000007
【図６】
2005058704.tif 000008
【図７】
2005058704.tif 000009
【図８】
2005058704.tif 000010
【図９】
2005058704.tif 000011
【図１０】
2005058704.tif 000012
【図１１】
2005058704.tif 000013
【図１２】
2005058704.tif 000014